(57)【特許請求の範囲】
【請求項１】
前面に開口を備えたグリル庫と、前記グリル庫の前記開口を開閉する扉とが備えられたグリルであって、
運転状態表示用の横長状の導光体が、前面を前記扉の前方に向けて光を放射する光放射面とし、かつ、長手方向の端面を入光面とする状態で、前記扉に設けられ、
前記グリル庫の前記開口に隣接する箇所に、前記扉の閉じ状態のときに前記入光面に光を供給するための発光部が設けられ、
前記導光体の後面が、前記入光面から前記導光体の長手方向に沿って入射される光入射方向に対して、前記入光面から離れるほど前記光放射面側に位置するように傾斜する状態に形成され、
前記導光体の後面に、前記入光面から入射した光を前記光放射面に反射させる凹凸が前記導光体の長手方向に沿って繰り返す形態で形成され、
前記導光体が、前記入光面を前記扉の横幅方向の端縁よりも内方側に位置させる形態に構成され、
前記発光部からの光を前記入光面に導く補助導光体が、前記導光体の横側に連なる状態で前記扉に設けられ、
前記導光体と前記補助導光体との間への液体侵入を阻止し且つ光を透過するシール部材が、前記導光体と前記補助導光体との間に配設されているグリル。
【請求項２】
前記導光体が、前記扉の横幅方向中央から左右に伸びる状態で、かつ、長手方向の左右両端面を、前記入光面とする状態で設けられ、
前記導光体の前記後面のうちの左側後面部分が、左側の前記入光面の前記光入射方向に対して、左側の前記入光面から離れるほど前記光放射面に近づくように傾斜する状態に形成され、かつ、前記導光体の前記後面のうちの右側後面部分が、右側の前記入光面の前記光入射方向に対して、右側の前記入光面から離れるほど前記光放射面に近づくように傾斜する状態に形成されている請求項１記載のグリル。
【請求項３】
前面に開口を備えたグリル庫と、前記グリル庫の前記開口を開閉する扉とが備えられ、運転状態表示用の横長状の導光体が、前面を前記扉の前方に向けて光を放射する光放射面とし、かつ、長手方向の端面を入光面とする状態で、前記扉に設けられ、前記グリル庫の前記開口に隣接する箇所に、前記扉の閉じ状態のときに前記入光面に光を供給するための発光部が設けられ、前記導光体の後面が、前記入光面から前記導光体の長手方向に沿って入射される光入射方向に対して、前記入光面から離れるほど前記光放射面側に位置するように傾斜する状態に形成され、前記導光体の後面に、前記入光面から入射した光を前記光放射面に反射させる凹凸が前記導光体の長手方向に沿って繰り返す形態で形成されているグリルがコンロ本体部に装備されたグリル付コンロであって、
前壁、その前壁の上端から後方に延びかつ運転指令用操作部を備える上壁、及び、前記前壁の左右両端縁部から後方に延びかつ上端縁部が前記上壁の左右両端縁部に接続される左右一対の側壁からなる開閉体が、一対の前記側壁夫々における下端側で且つ前記前壁に隣接する部分を回動中心とする前後揺動により、前記上壁を前記コンロ本体部の内方に引退させた閉じ状態と前記上壁を前記コンロ本体部の前方に突出させた開き状態とに開閉される形態で、前記グリル庫の前記開口の横側に隣接して設けられ、
前記発光部が、前記開閉体における一対の前記側壁の間に配置され、
一対の前記側壁のうちの前記扉の存在側に位置する側壁に、前記発光部からの光を透過する透過部が形成され、
前記透過部が、前記開閉体の前記開き状態、前記閉じ状態、及び、前記開き状態と前記閉じ状態との間の中間状態のいずれにおいても、前記発光部からの光を透過する形態に構成されているグリル付コンロ。
【請求項４】
前記開閉体の一対の前記側壁夫々における下端側で且つ前記前壁に隣接する部分を回動自在に枢支する支持軸が、コンロ横幅方向に沿って伸びる姿勢で前記コンロ本体部に設けられ、
前記発光部に、前記支持軸に外嵌する位置決め用嵌合部が設けられている請求項３記載のグリル付コンロ。
【請求項５】
前面に開口を備えたグリル庫と、前記グリル庫の前記開口を開閉する扉とが備えられ、運転状態表示用の横長状の導光体が、前面を前記扉の前方に向けて光を放射する光放射面とし、かつ、長手方向の端面を入光面とする状態で、前記扉に設けられ、前記グリル庫の前記開口に隣接する箇所に、前記扉の閉じ状態のときに前記入光面に光を供給するための発光部が設けられ、前記導光体の後面が、前記入光面から前記導光体の長手方向に沿って入射される光入射方向に対して、前記入光面から離れるほど前記光放射面側に位置するように傾斜する状態に形成され、前記導光体の後面に、前記入光面から入射した光を前記光放射面に反射させる凹凸が前記導光体の長手方向に沿って繰り返す形態で形成されているグリルがコンロ本体部に装備されたグリル付コンロであって、
前壁、その前壁の上端から後方に延びかつ運転指令用操作部を備える上壁、及び、前記前壁の左右両端縁部から後方に延びかつ上端縁部が前記上壁の左右両端縁部に接続される左右一対の側壁からなる開閉体が、一対の前記側壁夫々における下端側で且つ前記前壁に隣接する部分を回動中心とする前後揺動により、前記上壁を前記コンロ本体部の内方に引退させた閉じ状態と前記上壁を前記コンロ本体部の前方に突出させた開き状態とに開閉される形態で、前記グリル庫の前記開口の横側に隣接して設けられ、
前記発光部が、前記開閉体における一対の前記側壁の間に配置され、
一対の前記側壁のうちの前記扉の存在側に位置する側壁に、前記発光部からの光を透過する透過部が形成され、
前記開閉体の一対の前記側壁夫々における下端側で且つ前記前壁に隣接する部分を回動自在に枢支する支持軸が、コンロ横幅方向に沿って伸びる姿勢で前記コンロ本体部に設けられ、
前記発光部に、前記支持軸に外嵌する位置決め用嵌合部が設けられているグリル付コンロ。
【請求項６】
前記導光体が、前記扉の横幅方向中央から左右に伸びる状態で、かつ、長手方向の左右両端面を、前記入光面とする状態で設けられ、
前記導光体の前記後面のうちの左側後面部分が、左側の前記入光面の前記光入射方向に対して、左側の前記入光面から離れるほど前記光放射面に近づくように傾斜する状態に形成され、かつ、前記導光体の前記後面のうちの右側後面部分が、右側の前記入光面の前記光入射方向に対して、右側の前記入光面から離れるほど前記光放射面に近づくように傾斜する状態に形成されている請求項３〜５のいずれか１項に記載のグリル付コンロ。
【請求項７】
前記導光体が、前記入光面を前記扉の横幅方向の端縁よりも内方側に位置させる形態に構成され、
前記発光部からの光を前記入光面に導く補助導光体が、前記導光体の横側に連なる状態で前記扉に設けられている請求項３〜６のいずれか１項に記載のグリル付コンロ。
【請求項８】
前記導光体と前記補助導光体との間への液体侵入を阻止し且つ光を透過するシール部材が、前記導光体と前記補助導光体との間に配設されている請求項７記載のグリル付コンロ。
【発明の詳細な説明】
【技術分野】
【０００１】
本発明は、前面に開口を備えたグリル庫と、前記グリル庫の前記開口を開閉する扉とが備えられたグリル、及び、グリルを備えたグリル付コンロに関する。
【背景技術】
【０００２】
かかるグリルにおいては、グリル庫内に装備した加熱バーナ等の調理用加熱手段が加熱作動している加熱作動中であることや、その加熱作動中において異常が発生した異常発生状態であること等を、運転情報として、使用者が視認できる形態で表示させることが行われている。
【０００３】
このようなグリルの従来例として、調理用加熱手段としての加熱バーナの点火や消火を行う押し操作式のグリル操作具に、ＬＥＤを用いて構成した確認ランプを設けて、調理用の加熱バーナが加熱作動している加熱作動中であるときには、確認ランプを点灯させ、且つ、加熱作動中において異常が発生したときには、確認ランプを点滅させるように構成したものがある（例えば、特許文献１参照。）。
【０００４】
上記特許文献１は、コンロ本体部の横幅方向の中央部にグリルが装備され、そして、コンロ本体部の上部に左右一対のコンロバーナが装備されたグリル付コンロを開示するものであって、コンロ本体部の前面部におけるグリルの右側箇所に、上述したグリル操作具が配置され、また、コンロ本体部の前面部におけるグリルの左右両側箇所に、一対のコンロバーナの点火や消火を行う押し操作式の一対のコンロ操作具が振り分け配置されている。
【０００５】
ちなみに、特許文献１のグリル付コンロにおいては、一対のコンロ操作具の夫々にも、確認ランプを設けて、対応するコンロバーナが加熱作動している加熱作動中であるときには、確認ランプを点灯させ、且つ、加熱作動中において異常が発生したときには、確認ランプを点滅させるように構成されている。
【先行技術文献】
【特許文献】
【０００６】
【特許文献１】特開２０００−１９３２４８号公報
【発明の概要】
【発明が解決しようとする課題】
【０００７】
従来では、グリル操作具に設けた確認ランプの点灯や点滅によって、グリルの運転情報を表示することになるが、グリル操作具に設けた確認ランプは、グリルから横側方に離れているため、その確認ランプの点灯や点滅によって、グリルの運転情報を表示した際に、使用者にとっては、その運転情報がグリルの運転情報であるか否かを理解し難いため、結果的に、グリルの運転情報を認識し難い虞があった。
【０００８】
ちなみに、上記の特許文献１のグリル付コンロの如く、一般に、グリル付コンロにおいては、コンロ本体の前面部に、グリル操作具に加えて、コンロ操作具が配設されることになるが、この場合、コンロ本体の前面部に並ぶ複数の操作具のうちのいずれがグリル操作具であるかは、瞬時には判断し難いものであり、この点からも、使用者にとっては、グリルの運転情報を認識し難い虞があった。
【０００９】
本発明は、上記実情に鑑みて為されたものであって、その目的は、使用者にとって認識し易い形態で且つ美麗な状態でグリルの運転情報を表示することができるグリルを提供する点にある。
本発明の別の目的は、使用者にとって認識し易い形態で且つ美麗な状態でグリルの運転情報を表示することができるグリルを備えたグリル付コンロを提供する点にある。
【課題を解決するための手段】
【００１０】
本発明のグリルは、前面に開口を備えたグリル庫と、前記グリル庫の前記開口を開閉する扉とが備えられたものであって、その第１特徴構成は、
運転状態表示用の横長状の導光体が、前面を前記扉の前方に向けて光を放射する光放射面とし、かつ、長手方向の端面を入光面とする状態で、前記扉に設けられ、
前記グリル庫の前記開口に隣接する箇所に、前記扉の閉じ状態のときに前記入光面に光を供給するための発光部が設けられ、
前記導光体の後面が、前記入光面から前記導光体の長手方向に沿って入射される光入射方向に対して、前記入光面から離れるほど前記光放射面側に位置するように傾斜する状態に形成され、
前記導光体の後面に、前記入光面から入射した光を前記光放射面に反射させる凹凸が前記導光体の長手方向に沿って繰り返す形態で形成され、
前記導光体が、前記入光面を前記扉の横幅方向の端縁よりも内方側に位置させる形態に構成され、
前記発光部からの光を前記入光面に導く補助導光体が、前記導光体の横側に連なる状態で前記扉に設けられ、
前記導光体と前記補助導光体との間への液体侵入を阻止し且つ光を透過するシール部材が、前記導光体と前記補助導光体との間に配設されている点を特徴とする。
【００１１】
すなわち、グリル庫の前面の開口を開閉する扉の閉じ状態のときに、グリル庫の開口に隣接する箇所に設けた発光部の光が、扉に設けた運転状態表示用の横長状の導光体における入光面を通して、導光体の内部に入射する。
そして、導光体の内部に光が入射すると、導光体における光放射面から扉の前方に向けて光が放射されることになり、この扉の前方に向けた光の放射によって、グリルの運転情報が表示される。
【００１２】
つまり、扉に設けた導光体における光放射面から扉の前方に向けて光を放射する形態で、グリルの運転情報が表示されることになる。
そして、扉に設けた横長状の導光体における光放射面から扉の前方に向けて光が放射された状態は、使用者にとっては、グリル庫の扉が光る状態として認識できるものであるため、導光体の光放射面からの光の放射によって表示されるグリルの運転情報は、グリルの運転情報であるとして、使用者が容易に認識できることになる。
【００１３】
説明を加えると、本発明の発明者は鋭意研究の結果、グリルの運転情報を表示させるにあたり、グリル庫の扉が光る状態にすれば、使用者にとって認識し易い形態でグリルの運転情報を表示できることを見出し、また、電力供給構成が複雑になりかつ耐久性の確保が難しい等の諸々の理由により、実施製作上、グリル庫の扉に発光部を備えさせることはできないものであるが、グリル庫の扉に導光体を設けて、電力の供給が必要となる発光部を、グリル庫の開口に隣接する箇所に設けるという構成を採用すれば、グリルの運転情報を表示させるためにグリル庫の扉が光る状態にできることを見出し、さらに、横長状の導光体により、扉の横幅方向の広い範囲から扉の前方に向けて光を放射させることにより、グリル庫の扉が光る状態であることを的確に認識できることを見出したのである。
【００１４】
また、本第１特徴構成によれば、横長状の導光体の後面が、導光体の長手方向の端面である入光面から導光体の長手方向に沿って入射される光入射方向に対して、入光面から離れるほど光放射面側に位置するように傾斜する状態に形成され、導光体の後面に、入光面から入射した光を光放射面に反射させる凹凸が導光体の長手方向に沿って繰り返す形態で形成されているから、入光面から入射した光を、導光体の長手方向に沿う光放射面の全体に分散させた状態で、光放射面から放射させることができるため、横長状の導光体の長手方向に沿う光放射面の全体から光を均一に放射する美麗な状態で、グリルの運転情報を表示できる。
【００１５】
説明を加えると、導光体の後面が、入光面から導光体の長手方向に沿って入射される光入射方向に対して、入光面から離れるほど光放射面側に位置するように傾斜する状態に形成されているため、入光面から入光した光が、導光体の長手方向に沿う後面の全体に分散して到達する傾向となる。
【００１６】
そして、導光体の後面に、入光面から入射した光を光放射面に反射させる凹凸が導光体の長手方向に沿って繰り返す形態で形成されているから、入光面から入射した光のうちの、導光体の後面における入光面に近い部分に到達した光が、光放射面における入光面に近い部分に反射される傾向となり、入光面から入射した光のうちの、導光体の後面における入光面から離れる部分に到達した光が、光放射面における入光面から離れる部分に反射される傾向となり、さらに、導光体の後面における入光面に近い部分と入光面から離れる部分との中間部分に到達した光が、光放射面における入光面に近い部分と入光面から離れる部分との中間部分に反射される傾向となるため、横長状の導光体の長手方向に沿う光放射面の全体から光を均一に放射する状態にできるのである。
【００１７】
要するに、本発明のグリルの第１特徴構成によれば、使用者にとって認識し易い形態で且つ美麗な状態でグリルの運転情報を表示することができるグリルを提供できる。
また、本特徴構成によれば、導光体が、入光面を扉の横幅方向の端縁よりも内方側に位置させる形態に構成されて、換言すれば、導光体が、グリル庫の扉の横端部を除いた部分に存在するように構成されて、グリル庫の扉の横端部を除いた部分が光る状態で、グリルの運転情報が表示されることになる。
そして、導光体が、入光面を扉の横幅方向の端縁よりも内方側に位置させる形態に構成されると、導光体の入光面と発光部とが大きく離れる状態となるが、発光部からの光が、補助導光体にて導かれて導光体の入光面に入射されることになる。
つまり、使用者にとって認識し易い形態でグリルの運転情報を表示させるために、グリル庫の扉が光る状態にするにあたり、必ずしも扉の横幅方向の全体が光る状態にする必要はなく、扉の横端部を除いた部分が光るようにすれば十分であり、そして、扉の横端部を除いた部分が光る状態の方が、扉の横幅方向の全体が光る状態よりも、むしろ、グリル庫の扉が光る状態であることを認識し易い場合も考えられる。
このように、扉の横端部を除いた部分が光る状態にてグリルの運転情報を表示させるにあたり、導光体を、グリル庫の扉の横端部を除いた部分に存在させて、発光部からの光を、補助導光体にて、導光体の入光面に導くものであるから、実施製作面において有利となるのである。
説明を加えると、扉の横端部を除いた部分が光る状態にしてグリルの運転情報を表示させるにあたり、導光体を、扉の横幅方向の全幅に亘る長さに形成し、そして、導光体における扉の横端部に相当する部分を、単なる光導入部分に構成し、導光体における扉の横端部を除いた部分を光放射部分として、その後面を、光導入部分から離れるほど光放射面側に位置する状態に形成し、かつ、その後面に、光導入部分から導入された光を光放射面に反射させる凹凸を形成することが考えられる。
しかしながら、扉の横幅方向の全幅に亘る長さを有する導光体を、光導入部分、及び、
傾斜状でかつ凹凸が形成された後面を有する状態に一体形成することは、例えば、合成樹脂の型成形加工により製作する場合において、成形後に歪が発生し易い等、製作し難いものとなる。
これに対して、本特徴構成においては、扉の横幅よりも短い導光体と、扉の横幅よりも短い補助導光体とを各別に製作することができるため、導光体の製作及び補助導光体の製作が容易となり、実施製作面において有利となるのである。
ちなみに、扉の横幅よりも短い導光体と、扉の横幅よりも短い補助導光体とを各別に製作する構成は、グリルとして、横幅の異なる複数種のグリルを構成する場合において、導光体を複数種のグリルに共用しながら、補助導光体として、複数種のグリル夫々に応じた長さの補助導光体を形成する形態で、複数種のグリルの扉を光る状態にすることができるものとなり、この点からも、実施製作面において有利である。
要するに、本発明のグリルの第１特徴構成によれば、上記作用効果に加えて、実施製作面において有利となる構成で、グリル庫の扉が光る状態であることを認識し易い形態でグリルの運転情報を表示させることができるグリルを提供できる。
また、本特徴構成によれば、導光体と補助導光体との間に、導光体と補助導光体との間への液体侵入を阻止し且つ光を透過するシール部材が配設されているから、導光体と補助導光体との間に液体が侵入して、補助導光体からの光を導光体に適切に入射することができなくなることを回避できる。
つまり、グリル庫の扉は、湯水にて洗浄されるものであるため、このときに、導光体と補助導光体との間に湯水が侵入する虞がある等、導光体と補助導光体との間には、湯水等の液体が侵入する虞があるが、導光体と補助導光体との間にシール部材が配設されているから、導光体と補助導光体との間に湯水等の液体が侵入することを抑制して、補助導光体からの光を導光体に適切に入射する状態を維持できるのである。
要するに、本発明のグリルの第１特徴構成によれば、上記作用効果に加えて、導光体と補助導光体との間に湯水等の液体が侵入することを抑制して、補助導光体からの光を導光体に適切に入射する状態を維持できるグリルを提供できる。
【００１８】
本発明のグリルの第２特徴構成は、上記第１特徴構成に加えて、
前記導光体が、前記扉の横幅方向中央から左右に伸びる状態で、かつ、長手方向の左右両端面を、前記入光面とする状態で設けられ、
前記導光体の前記後面のうちの左側後面部分が、左側の前記入光面の前記光入射方向に対して、左側の前記入光面から離れるほど前記光放射面に近づくように傾斜する状態に形成され、かつ、前記導光体の前記後面のうちの右側後面部分が、右側の前記入光面の前記光入射方向に対して、右側の前記入光面から離れるほど前記光放射面に近づくように傾斜する状態に形成されている点を特徴とする。
【００１９】
すなわち、導光体が、グリル庫の扉の横幅方向中央から左右に伸びる状態で設けられているから、グリル庫の扉の横幅方向における中央部を含めた大きな範囲から扉の前方に向けて光を放射させることができるため、グリルの運転情報を、一層認識し易い状態で表示させることが可能となる。
【００２０】
しかも、導光体が、長手方向の左右両端面を入光面とし、そして、導光体の後面のうちの左側後面部分が、左側の入光面の光入射方向に対して、左側の入光面から離れるほど光放射面に近づくように傾斜する状態に形成され、かつ、導光体の後面のうちの右側後面部分が、右側の入光面の前記光入射方向に対して、右側の前記入光面から離れるほど光放射面に近づくように傾斜する状態に形成されているから、導光体の左側の入光面から入射した光を導光体の左側部分から前方に放射する光とし、導光体の右側の入光面から入射した光を導光体の右側部分から前方に放射する光とすることができる。
【００２１】
このように、導光体の左側の入光面から入射した光を導光体の左側部分から前方に放射する光とし、導光体の右側の入光面から入射した光を導光体の右側部分から前方に放射する光とすることができるため、導光体が扉の横幅方向における大きな範囲に存在する状態であっても、導光体の長手方向に沿う光放射面の全体から光を均一に放射することができる。
【００２２】
つまり、導光体が扉の横幅方向における大きな範囲に存在する状態において、導光体の左右の端面のうちの一方を入光面とし、そして、導光体の後面を、入光面の光入射方向に対して、入光面から離れるほど光放射面に近づくように傾斜する状態に形成することが考えられるが、この場合、入光面から入光した光が、導光体の長手方向に沿う後面の全体に分散して到達する傾向とはなるものの、後面のうちの入光面から離れる部分に到達する光の量が、後面のうちの入光面に近い部分に到達する光の量よりも、かなり少なくなる傾向となるため、導光体の長手方向に沿う光放射面の全体から光を均一に放射し難いものとなる。
【００２３】
これに対して、本第２特徴構成によれば、導光体が扉の横幅方向における大きな範囲に存在する状態であっても、導光体の長手方向に沿う光放射面の全体から光を均一に放射することができるため、グリル庫の扉の横幅方向における大きな範囲から、均一な状態で、扉の前方に向けて光を放射させることができる。
【００２４】
要するに、本発明のグリルの第２特徴構成によれば、上記第１特徴構成による作用効果に加えて、グリル庫の扉の横幅方向における大きな範囲から扉の前方に向けて光を放射させることにより、グリルの運転情報を、一層認識し易い状態で表示させることができ、しかも、グリル庫の扉の横幅方向における大きな範囲から、均一な状態で、扉の前方に向けて光を放射させることができるグリルを提供できる。
【００４７】
本発明のグリル付コンロは、前面に開口を備えたグリル庫と、前記グリル庫の前記開口を開閉する扉とが備えられ、運転状態表示用の横長状の導光体が、前面を前記扉の前方に向けて光を放射する光放射面とし、かつ、長手方向の端面を入光面とする状態で、前記扉に設けられ、前記グリル庫の前記開口に隣接する箇所に、前記扉の閉じ状態のときに前記入光面に光を供給するための発光部が設けられ、前記導光体の後面が、前記入光面から前記導光体の長手方向に沿って入射される光入射方向に対して、前記入光面から離れるほど前記光放射面側に位置するように傾斜する状態に形成され、前記導光体の後面に、前記入光面から入射した光を前記光放射面に反射させる凹凸が前記導光体の長手方向に沿って繰り返す形態で形成されているグリルがコンロ本体部に装備されたグリル付コンロであって、その第１特徴構成は、
前壁、その前壁の上端から後方に延びかつ運転指令用操作部を備える上壁、及び、前記前壁の左右両端縁部から後方に延びかつ上端縁部が前記上壁の左右両端縁部に接続される左右一対の側壁からなる開閉体が、一対の前記側壁夫々における下端側で且つ前記前壁に隣接する部分を回動中心とする前後揺動により、前記上壁を前記コンロ本体部の内方に引退させた閉じ状態と前記上壁を前記コンロ本体部の前方に突出させた開き状態とに開閉される形態で、前記グリル庫の前記開口の横側に隣接して設けられ、
前記発光部が、前記開閉体における一対の前記側壁の間に配置され、
一対の前記側壁のうちの前記扉の存在側に位置する側壁に、前記発光部からの光を透過する透過部が形成され、
前記透過部が、前記開閉体の前記開き状態、前記閉じ状態、及び、前記開き状態と前記閉じ状態との間の中間状態のいずれにおいても、前記発光部からの光を透過する形態に構成されている点を特徴とする。
【００４８】
すなわち、グリル庫の開口の横側に隣接して、前壁、その前壁の上端から後方に延びかつ運転指令用操作部を備える上壁、及び、前壁の左右両端縁部から後方に延びかつ上端縁部が上壁の左右両端縁部に接続される左右一対の側壁からなる開閉体が設けられている。
この開閉体は、一対の前記側壁夫々における下端側で且つ前壁に隣接する部分を回動中心とする前後揺動により、上壁を前記コンロ本体部の内方に引退させた閉じ状態と上壁をコンロ本体部の前方に突出させた開き状態とに開閉される。
つまり、上壁の運転指令用操作部を操作するときには、開閉体を開き状態にすることになり、そして、非使用時には、開閉体を閉じ状態にすることにより、外観を美麗な状態にする。
ちなみに、開閉体は、一般には、グリル庫の開口の両横側の夫々に隣接する形態で、左右一対設けられて、一方の開閉体の運転指令用操作部が、グリルの運転に関する指令情報を指令するように構成され、他方の開閉体の運転指令用操作部が、コンロ本体部の上部に備えさせたコンロバーナの運転に関する指令情報を指令するように構成される。
そして、発光部が、開閉体における一対の側壁の間に配置され、そして、発光部からの光が、一対の側壁のうちの扉の存在側に位置する側壁に形成された透過部を通して、グリル庫の扉に設けた導光体の入光面に供給されることになる。
このように、開閉体における一対の側壁の間に存在する空間を利用して、発光部を開閉体における一対の側壁の間に配置することにより、発光部をグリル庫から離れる状態に位置させることができるため、発光部がグリル庫の発生熱にて高温に加熱されることを抑制できる。
つまり、発光部は、ＬＥＤ等の発光体を用いて構成されることになり、そのような発光部は、高温に加熱されることを抑制して、耐久性を確保することが望まれるものとなるが、開閉体における一対の側壁の間に存在する空間を利用して、発光部を開閉体における一対の側壁の間に配置することにより、発光部がグリル庫の発生熱にて高温に加熱されることを抑制できるのである。
要するに、本発明のグリル付コンロの第１特徴構成によれば、運転に関する指令情報を指令するために設けられている開閉体における一対の側壁の間に存在する空間を有効利用して発光部を配設することにより、発光部がグリル庫の発生熱にて高温に加熱されることを抑制できるグリル付コンロを提供できる。
また、本特徴構成によれば、開閉体の前記開き状態、閉じ状態、及び、開き状態と閉じ状態との間の中間状態のいずれにおいても、発光部からの光が、透過部を通して、グリル庫の扉に設けた導光体の入光面に供給されることになる。
【００４９】
したがって、開閉体の前記開き状態、閉じ状態、及び、開き状態と閉じ状態との間の中間状態のいずれにおいても、扉に設けた導光体における光放射面から扉の前方に向けて光を放射させて、グリルの運転情報を適切に表示することができる。
【００５０】
要するに、本発明のグリル付コンロの第１特徴構成によれば、上記作用効果に加えて、開閉体の前記開き状態、閉じ状態、及び、開き状態と閉じ状態との間の中間状態のいずれにおいても、グリルの運転情報を適切に表示することができるグリル付コンロを提供できる。
本発明のグリル付コンロの第２特徴構成は、上記第１特徴構成に加えて、
前記開閉体の一対の前記側壁夫々における下端側で且つ前記前壁に隣接する部分を回動自在に枢支する支持軸が、コンロ横幅方向に沿って伸びる姿勢で前記コンロ本体部に設けられ、
前記発光部に、前記支持軸に外嵌する位置決め用嵌合部が設けられている点を特徴とする。
すなわち、開閉体の一対の側壁夫々における下端側で且つ前壁に隣接する部分が、コンロ横幅方向に沿って伸びる姿勢でコンロ本体部に設けられている支持軸に、回動自在に枢支される。
そして、発光部が、位置決め用嵌合部を支持軸に外嵌して位置決めした状態で設置されることになる。
このように、発光部に設けた位置決め用嵌合部を開閉体の支持軸に外嵌して、発光部の支持軸に対する位置を位置決めした状態で発光部を設置するものであるから、発光部と開閉体の側壁に形成した透過部とを、発光部の光が透過部を透過する適正位置関係となる状態に適切に位置決めできる。
要するに、本発明のグリル付コンロの第２特徴構成によれば、上記第１特徴構成による作用効果に加えて、開閉体を支持する支持軸を有効利用して、発光部と開閉体の側壁に形成した透過部とを、発光部の光が透過部を透過する適正位置関係となる状態に適切に位置決めできるグリル付コンロを提供できる。
【００５１】
本発明のグリル付コンロは、前面に開口を備えたグリル庫と、前記グリル庫の前記開口を開閉する扉とが備えられ、運転状態表示用の横長状の導光体が、前面を前記扉の前方に向けて光を放射する光放射面とし、かつ、長手方向の端面を入光面とする状態で、前記扉に設けられ、前記グリル庫の前記開口に隣接する箇所に、前記扉の閉じ状態のときに前記入光面に光を供給するための発光部が設けられ、前記導光体の後面が、前記入光面から前記導光体の長手方向に沿って入射される光入射方向に対して、前記入光面から離れるほど前記光放射面側に位置するように傾斜する状態に形成され、前記導光体の後面に、前記入光面から入射した光を前記光放射面に反射させる凹凸が前記導光体の長手方向に沿って繰り返す形態で形成されているグリルがコンロ本体部に装備されたグリル付コンロであって、その第３特徴構成は、
前壁、その前壁の上端から後方に延びかつ運転指令用操作部を備える上壁、及び、前記前壁の左右両端縁部から後方に延びかつ上端縁部が前記上壁の左右両端縁部に接続される左右一対の側壁からなる開閉体が、一対の前記側壁夫々における下端側で且つ前記前壁に隣接する部分を回動中心とする前後揺動により、前記上壁を前記コンロ本体部の内方に引退させた閉じ状態と前記上壁を前記コンロ本体部の前方に突出させた開き状態とに開閉される形態で、前記グリル庫の前記開口の横側に隣接して設けられ、
前記発光部が、前記開閉体における一対の前記側壁の間に配置され、
一対の前記側壁のうちの前記扉の存在側に位置する側壁に、前記発光部からの光を透過する透過部が形成され、
前記開閉体の一対の前記側壁夫々における下端側で且つ前記前壁に隣接する部分を回動自在に枢支する支持軸が、コンロ横幅方向に沿って伸びる姿勢で前記コンロ本体部に設けられ、
前記発光部に、前記支持軸に外嵌する位置決め用嵌合部が設けられている点を特徴とする。
【００５２】
すなわち、グリル庫の開口の横側に隣接して、前壁、その前壁の上端から後方に延びかつ運転指令用操作部を備える上壁、及び、前壁の左右両端縁部から後方に延びかつ上端縁部が上壁の左右両端縁部に接続される左右一対の側壁からなる開閉体が設けられている。
この開閉体は、一対の前記側壁夫々における下端側で且つ前壁に隣接する部分を回動中心とする前後揺動により、上壁を前記コンロ本体部の内方に引退させた閉じ状態と上壁をコンロ本体部の前方に突出させた開き状態とに開閉される。
つまり、上壁の運転指令用操作部を操作するときには、開閉体を開き状態にすることになり、そして、非使用時には、開閉体を閉じ状態にすることにより、外観を美麗な状態にする。
ちなみに、開閉体は、一般には、グリル庫の開口の両横側の夫々に隣接する形態で、左右一対設けられて、一方の開閉体の運転指令用操作部が、グリルの運転に関する指令情報を指令するように構成され、他方の開閉体の運転指令用操作部が、コンロ本体部の上部に備えさせたコンロバーナの運転に関する指令情報を指令するように構成される。
そして、発光部が、開閉体における一対の側壁の間に配置され、そして、発光部からの光が、一対の側壁のうちの扉の存在側に位置する側壁に形成された透過部を通して、グリル庫の扉に設けた導光体の入光面に供給されることになる。
このように、開閉体における一対の側壁の間に存在する空間を利用して、発光部を開閉体における一対の側壁の間に配置することにより、発光部をグリル庫から離れる状態に位置させることができるため、発光部がグリル庫の発生熱にて高温に加熱されることを抑制できる。
つまり、発光部は、ＬＥＤ等の発光体を用いて構成されることになり、そのような発光部は、高温に加熱されることを抑制して、耐久性を確保することが望まれるものとなるが、開閉体における一対の側壁の間に存在する空間を利用して、発光部を開閉体における一対の側壁の間に配置することにより、発光部がグリル庫の発生熱にて高温に加熱されることを抑制できるのである。
要するに、本発明のグリル付コンロの第３特徴構成によれば、運転に関する指令情報を指令するために設けられている開閉体における一対の側壁の間に存在する空間を有効利用して発光部を配設することにより、発光部がグリル庫の発生熱にて高温に加熱されることを抑制できるグリル付コンロを提供できる。
また、本特徴構成によれば、開閉体の一対の側壁夫々における下端側で且つ前壁に隣接する部分が、コンロ横幅方向に沿って伸びる姿勢でコンロ本体部に設けられている支持軸に、回動自在に枢支される。
そして、発光部が、位置決め用嵌合部を支持軸に外嵌して位置決めした状態で設置されることになる。
【００５３】
このように、発光部に設けた位置決め用嵌合部を開閉体の支持軸に外嵌して、発光部の支持軸に対する位置を位置決めした状態で発光部を設置するものであるから、発光部と開閉体の側壁に形成した透過部とを、発光部の光が透過部を透過する適正位置関係となる状態に適切に位置決めできる。
【００５４】
要するに、本発明のグリル付コンロの第３特徴構成によれば、上記作用効果に加えて、開閉体を支持する支持軸を有効利用して、発光部と開閉体の側壁に形成した透過部とを、発光部の光が透過部を透過する適正位置関係となる状態に適切に位置決めできるグリル付コンロを提供できる。
また、本発明のグリル付コンロの第４特徴構成は、上記第１〜第３特徴構成のいずれかに加えて、
前記導光体が、前記扉の横幅方向中央から左右に伸びる状態で、かつ、長手方向の左右両端面を、前記入光面とする状態で設けられ、
前記導光体の前記後面のうちの左側後面部分が、左側の前記入光面の前記光入射方向に対して、左側の前記入光面から離れるほど前記光放射面に近づくように傾斜する状態に形成され、かつ、前記導光体の前記後面のうちの右側後面部分が、右側の前記入光面の前記光入射方向に対して、右側の前記入光面から離れるほど前記光放射面に近づくように傾斜する状態に形成されている点を特徴とする。
すなわち、導光体が、グリル庫の扉の横幅方向中央から左右に伸びる状態で設けられているから、グリル庫の扉の横幅方向における中央部を含めた大きな範囲から扉の前方に向けて光を放射させることができるため、グリルの運転情報を、一層認識し易い状態で表示させることが可能となる。
しかも、導光体が、長手方向の左右両端面を入光面とし、そして、導光体の後面のうちの左側後面部分が、左側の入光面の光入射方向に対して、左側の入光面から離れるほど光放射面に近づくように傾斜する状態に形成され、かつ、導光体の後面のうちの右側後面部分が、右側の入光面の前記光入射方向に対して、右側の前記入光面から離れるほど光放射面に近づくように傾斜する状態に形成されているから、導光体の左側の入光面から入射した光を導光体の左側部分から前方に放射する光とし、導光体の右側の入光面から入射した光を導光体の右側部分から前方に放射する光とすることができる。
このように、導光体の左側の入光面から入射した光を導光体の左側部分から前方に放射する光とし、導光体の右側の入光面から入射した光を導光体の右側部分から前方に放射する光とすることができるため、導光体が扉の横幅方向における大きな範囲に存在する状態であっても、導光体の長手方向に沿う光放射面の全体から光を均一に放射することができる。
つまり、導光体が扉の横幅方向における大きな範囲に存在する状態において、導光体の左右の端面のうちの一方を入光面とし、そして、導光体の後面を、入光面の光入射方向に対して、入光面から離れるほど光放射面に近づくように傾斜する状態に形成することが考えられるが、この場合、入光面から入光した光が、導光体の長手方向に沿う後面の全体に
分散して到達する傾向とはなるものの、後面のうちの入光面から離れる部分に到達する光の量が、後面のうちの入光面に近い部分に到達する光の量よりも、かなり少なくなる傾向となるため、導光体の長手方向に沿う光放射面の全体から光を均一に放射し難いものとなる。
これに対して、本第４特徴構成によれば、導光体が扉の横幅方向における大きな範囲に存在する状態であっても、導光体の長手方向に沿う光放射面の全体から光を均一に放射することができるため、グリル庫の扉の横幅方向における大きな範囲から、均一な状態で、扉の前方に向けて光を放射させることができる。
要するに、本発明のグリル付コンロの第４特徴構成によれば、上記第１〜第３特徴構成のいずれかによる作用効果に加えて、グリル庫の扉の横幅方向における大きな範囲から扉の前方に向けて光を放射させることにより、グリルの運転情報を、一層認識し易い状態で表示させることができ、しかも、グリル庫の扉の横幅方向における大きな範囲から、均一な状態で、扉の前方に向けて光を放射させることができるグリル付コンロを提供できる。
また、本発明のグリル付コンロの第５特徴構成は、上記第１〜第４特徴構成のいずれかに加えて、
前記導光体が、前記入光面を前記扉の横幅方向の端縁よりも内方側に位置させる形態に構成され、
前記発光部からの光を前記入光面に導く補助導光体が、前記導光体の横側に連なる状態で前記扉に設けられている点を特徴とする。
すなわち、導光体が、入光面を扉の横幅方向の端縁よりも内方側に位置させる形態に構成されて、換言すれば、導光体が、グリル庫の扉の横端部を除いた部分に存在するように構成されて、グリル庫の扉の横端部を除いた部分が光る状態で、グリルの運転情報が表示されることになる。
そして、導光体が、入光面を扉の横幅方向の端縁よりも内方側に位置させる形態に構成されると、導光体の入光面と発光部とが大きく離れる状態となるが、発光部からの光が、補助導光体にて導かれて導光体の入光面に入射されることになる。
つまり、使用者にとって認識し易い形態でグリルの運転情報を表示させるために、グリル庫の扉が光る状態にするにあたり、必ずしも扉の横幅方向の全体が光る状態にする必要はなく、扉の横端部を除いた部分が光るようにすれば十分であり、そして、扉の横端部を除いた部分が光る状態の方が、扉の横幅方向の全体が光る状態よりも、むしろ、グリル庫の扉が光る状態であることを認識し易い場合も考えられる。
このように、扉の横端部を除いた部分が光る状態にてグリルの運転情報を表示させるにあたり、導光体を、グリル庫の扉の横端部を除いた部分に存在させて、発光部からの光を、補助導光体にて、導光体の入光面に導くものであるから、実施製作面において有利となるのである。
説明を加えると、扉の横端部を除いた部分が光る状態にしてグリルの運転情報を表示させるにあたり、導光体を、扉の横幅方向の全幅に亘る長さに形成し、そして、導光体における扉の横端部に相当する部分を、単なる光導入部分に構成し、導光体における扉の横端部を除いた部分を光放射部分として、その後面を、光導入部分から離れるほど光放射面側に位置する状態に形成し、かつ、その後面に、光導入部分から導入された光を光放射面に反射させる凹凸を形成することが考えられる。
しかしながら、扉の横幅方向の全幅に亘る長さを有する導光体を、光導入部分、及び、
傾斜状でかつ凹凸が形成された後面を有する状態に一体形成することは、例えば、合成樹脂の型成形加工により製作する場合において、成形後に歪が発生し易い等、製作し難いものとなる。
これに対して、本第５特徴構成においては、扉の横幅よりも短い導光体と、扉の横幅よりも短い補助導光体とを各別に製作することができるため、導光体の製作及び補助導光体の製作が容易となり、実施製作面において有利となるのである。
ちなみに、扉の横幅よりも短い導光体と、扉の横幅よりも短い補助導光体とを各別に製作する構成は、グリルとして、横幅の異なる複数種のグリルを構成する場合において、導光体を複数種のグリルに共用しながら、補助導光体として、複数種のグリル夫々に応じた長さの補助導光体を形成する形態で、複数種のグリルの扉を光る状態にすることができるものとなり、この点からも、実施製作面において有利である。
要するに、本発明のグリル付コンロの第５特徴構成によれば、上記第１〜第４特徴構成のいずれかによる作用効果に加えて、実施製作面において有利となる構成で、グリル庫の扉が光る状態であることを認識し易い形態でグリルの運転情報を表示させることができるグリル付コンロを提供できる。
また、本発明のグリル付コンロの第６特徴構成は、上記第５特徴構成に加えて、
前記導光体と前記補助導光体との間への液体侵入を阻止し且つ光を透過するシール部材が、前記導光体と前記補助導光体との間に配設されている点を特徴とする。
すなわち、導光体と補助導光体との間に、導光体と補助導光体との間への液体侵入を阻止し且つ光を透過するシール部材が配設されているから、導光体と補助導光体との間に液体が侵入して、補助導光体からの光を導光体に適切に入射することができなくなることを回避できる。
つまり、グリル庫の扉は、湯水にて洗浄されるものであるため、このときに、導光体と補助導光体との間に湯水が侵入する虞がある等、導光体と補助導光体との間には、湯水等の液体が侵入する虞があるが、導光体と補助導光体との間にシール部材が配設されているから、導光体と補助導光体との間に湯水等の液体が侵入することを抑制して、補助導光体からの光を導光体に適切に入射する状態を維持できるのである。
要するに、本発明のグリル付コンロの第６特徴構成によれば、上記第５特徴構成による作用効果に加えて、導光体と補助導光体との間に湯水等の液体が侵入することを抑制して、補助導光体からの光を導光体に適切に入射する状態を維持できるグリル付コンロを提供できる。
【図面の簡単な説明】
【００５５】
【図１】グリル付コンロの斜視図
【図２】同コンロの一部切欠斜視図
【図３】導光体への光導入状態を示す切欠正面図
【図４】開閉体の一部切欠斜視図
【図５】発光体の側面図
【図６】発光体の装着部を示す一部切欠斜視図
【図７】開閉体の取付け部を示す斜視図
【図８】扉の正面図
【図９】図８におけるＩＸ−ＩＸ線断面図
【図１０】扉の縦断背面図
【図１１】図１０におけるＸＩ−ＸＩ線断面図
【図１２】導光体の装着部の横断平面図
【図１３】扉本体の斜視図
【図１４】扉表装体の斜視図
【図１５】導光体の斜視図
【図１６】導光体の平面図
【図１７】図１６におけるＸＶＩＩ−ＸＶＩＩ線断面図
【図１８】導光体の背面部の拡大平面図
【図１９】補助導光体の斜視図
【図２０】導光体カバーの斜視図
【図２１】シール部材の斜視図
【発明を実施するための形態】
【００５６】
以下、本発明の実施形態を図面に基づいて説明する。
【００５７】
図１及び図２に示すように、グリル付コンロが、コンロ本体部Ｈの横幅方向の中央部にグリルＧを備え、コンロ本体部Ｈの上部に、コンロバーナ１として、標準バーナ１ａ、小火力バーナ１ｂ及び高火力バーナ１ｃを備える形態に構成されている。
そして、コンロ本体部Ｈの上部を覆う天板２が設けられ、この天板２には、標準バーナ１ａ、小火力バーナ１ｂ及び高火力バーナ１ｃの夫々にて加熱される加熱対象物の載置部として、五徳３が設けられ、また、天板２の後部側箇所には、グリルＧの燃焼排ガスを排気するためのグリル排気口４が形成されている。
ちなみに、図示するグリル付コンロは、コンロ本体部Ｈをシステムキッチンのカウンタートップに組付けて使用する組付式に構成されている。
【００５８】
グリルＧには、図１に示すように、前面に開口Ｕを備えた角筒状のグリル庫５が備えられ、グリル庫５の前部には、前面の開口Ｕを開閉する扉Ａが装備され、また、図示はしないが、グリル庫５の後部には、被燃焼排ガスをグリル排気口４に導く排気ダクトが接続されている。
グリル庫５に対して出退自在な平面視形状がＵ字状の可動枠体６が、グリル庫５の左右の側壁部に設けたスライド式の案内機構（図示せず）に支持された状態で設けられ、可動枠体６の前部に、上記扉Ａが装備されている。
【００５９】
被調理物の載置体としての焼き網７が、可動枠体６に載置支持された汁受け皿８に支持された状態で設けられている。
従って、焼き網７、汁受け皿８及び扉Ａが、グリル庫５に対して一体的に出退自在に支持され、そして、その出退によって、扉Ａが、グリル庫５の開口Ｕを開閉するように構成されている。
【００６０】
ちなみに、図示を省略するが、グリル庫５の上壁部には、焼き網７に載置された被調理物を上方から加熱する輻射式の上バーナが装備され、グリル庫５の左右の側壁部には、焼き網７に載置された被調理物を下方から加熱するための下バーナが設けられている。
【００６１】
上記扉Ａは、図８〜図１１に示すように、下部側の扉本体９（図１３参照）と、その扉本体９の上縁部に接続された扉上部体１０とから構成されている。
扉本体９は、把手部９Ａを備え、そして、その前面には、扉表装体１１（図１４参照）が装着されている。
扉上部体１０は、グリル庫５の内部を視認するために透明ガラスを主要部として構成されている。
【００６２】
図１に示すように、コンロ本体部Ｈの前面のグリルＧの左側箇所、及び、コンロ本体部Ｈの前面のグリルＧの右側箇所には、運転指令用操作部Ｅが配設されている。
左側の運転指令用操作部Ｅは、グリル庫５に装備した上バーナや下バーナに対する運転情報を指令するグリル側運転指令用操作部Ｅ５であり、右側の運転指令用操作部Ｅは、コンロバーナ１に対する運転情報を指令するコンロ側運転指令用操作部Ｅ１である。
尚、以下の記載において、グリル側運転指令用操作部Ｅ５とコンロ側運転指令用操作部Ｅ１とを区別する必要がない場合には、単に、運転指令用操作部Ｅと記載する。
【００６３】
また、図１に示すように、コンロ側運転指令用操作部Ｅ１の上方箇所には、標準バーナ１ａに対する標準用の操作具１２Ａ、小火力バーナ１ｂに対する小火力用の操作具１２Ｂ、及び、高火力バーナ１ｃに対する高火力用の操作具１２Ｃが配設されている。
３つの操作具１２Ａ〜１２Ｃは、対応するコンロバーナ１についての燃焼開始指令（以下、点火指令と略称する）及び燃焼停止指令（以下、消火指令と略称する）を指令し、且つ、対応するコンロバーナ１について火力調節指令を指令するものであって、具体的には、前方側に押し込み操作されるごとに、点火指令と消火指令とを交互に指令し、また、前後方向軸心周りで正逆に回動操作されることにより、火力調節指令を指令するように構成されている。
【００６４】
コンロ側運転指令用操作部Ｅ１は、燃焼しているコンロバーナ１を設定時間が経過すると自動的に消火するタイマ運転の実行を指令するタイマ運転指令、やかん等の被加熱容器に収納した湯水が沸騰すると、燃焼しているコンロバーナ１を自動的に消火する湯沸し運転の実行を指令する湯沸し運転指令、火力を自動的に調節しながら炊飯を自動的に行う炊飯運転の実行を指令する炊飯運転指令、及び、天ぷら油を収納した鍋の温度を設定温度に保つように、火力を自動的に調節する温度調節運転の実行を指令する温度調節運転指令等、各種の運転情報を指令するように構成されている。
【００６５】
グリル側運転指令用操作部Ｅ５は、上バーナや下バーナに対する点火や消火を指令する点消火指令、上バーナや下バーナの火力を変更する火力調節指令、燃焼している上バーナや下バーナを設定時間が経過すると自動的に消火するタイマ運転の実行を指令するタイマ運転指令、及び、燃焼排気温度に基づいて被調理物が焼き上がりであることを推定すると、燃焼している上バーナや下バーナを自動的に消火する自動運転の実行を指令する自動運転指令等、各種の運転情報を指令するように構成されている。
【００６６】
コンロ本体部Ｈには、運転制御部（図示せず）が装備されており、この運転制御部が、３つの操作具１２Ａ〜１２Ｃの指令情報、コンロ側運転指令用操作部Ｅ１にて指令される運転情報、及び、グリル側運転指令用操作部Ｅ５にて指令される運転情報に基づいて、コンロバーナ１、及び、グリル庫５に装備した上バーナや下バーナの運転を制御するように構成されている。
【００６７】
ちなみに、運転制御部は、コンロバーナ１、及び、グリル庫５に装備した上バーナや下バーナが、不測に消火する立ち消え状態になると異常状態であると判別することになり、また、運転制御部は、グリル庫５については、庫内温度が異常に高温になると異常状態であると判別するように構成されている。
運転制御部は、異常状態であると判別したときには、コンロバーナ１や、グリル庫５に装備した上バーナや下バーナに対する燃料の供給を停止する消火処理、及び、異常を報知する報知処理を実行することになる。この報知処理については後述する。
【００６８】
ちなみに、高火力用の操作具１２Ｃの上方箇所に、電源スイッチＳＷが装備され、この電源スイッチＳＷが入り操作された電源供給状態において、運転制御部が、コンロバーナ１、及び、グリル庫５に装備した上バーナや下バーナの運転を制御することになる。
【００６９】
コンロ本体部Ｈの前面におけるグリル庫５の開口Ｕの左右の横側に隣接して、運転指令用操作部Ｅを装備する左右の開閉体１３が設けられている。
左右の開閉体１３は同様に構成されるものであって、以下、右側の開閉体１３を代表として説明する。
図４に示すように、開閉体１３は、前壁１３ｆ、その前壁１３ｆの上端から後方に延びかつ運転指令用操作部Ｅを備える上壁１３ｕ、及び、前壁１３ｆの左右両端縁部から後方に延びかつ上端縁部が上壁１３ｕの左右両端縁部に接続される左右一対の側壁１３ｓを備えている。
【００７０】
図２及び図６に示すように、開閉体１３の一対の側壁１３ｓ夫々における下端側で且つ前壁１３ｆに隣接する部分を回動自在に枢支する支持軸１４が、コンロ横幅方向に沿って伸びる姿勢でコンロ本体部Ｈに設けられている。
ちなみに、開閉体１３の一対の側壁１３ｓには、支持軸１４が挿通する挿通孔１３Ａが形成されている（図４参照）。
したがって、開閉体１３は、一対の側壁１３ｓ夫々における下端側で且つ前壁１３ｆに隣接する部分を回動中心とする前後揺動により、上壁１３ｕをコンロ本体部Ｈの内方に引退させた閉じ状態（図２参照）と上壁１３ｕをコンロ本体部Ｈの前方に突出させた開き状態（図１参照）とに開閉されるように構成されている。
【００７１】
尚、閉じ状態の開閉体１３の前壁１３ｆを後方に押し込むと、開閉体１３を開き状態に操作し、且つ、開き状態の開閉体１３を閉じ状態に押し込むと、開閉体１３を閉じ状態に保持する開閉体操作機構が、開閉体１３の前壁１３ｆの背部側に装備されている。この開閉体操作機構は、周知の構成であるので、本書においてはその説明は省略する。
【００７２】
ちなみに、コンロ本体部Ｈは、上面が開口した有底筒状のケーシング１５を備えるものであって、そのケーシング１５における前面部には、グリル庫５や左右の開閉体１３を装備するための開口が形成されることになる。
尚、図６及び図７に示すように、ケーシング１５におけるグリル庫５の横側には、前後方向に延びる姿勢の仕切り板１５ｎが装備されており、この仕切り板１５ｎに、グリル庫５の前端側口縁部をボルト固定するための取付け板１６が溶接によって取付けられ、又、この仕切り板１５ｎに、上述の支持軸１４が支持されている。
ちなみに、図７は、グリル庫５を取外した状態を示している。
【００７３】
図３に示すように、運転状態表示用の横長状の導光体Ｂ（図１５参照）が、前面を扉Ａの前方に向けて光を放射する光放射面Ｂｆとし、かつ、長手方向の端面を入光面Ｂｉとする状態で、扉Ａに設けられ、グリル庫５の開口Ｕに隣接する箇所に、扉Ａの閉じ状態のときに入光面Ｂｉに光を供給するための発光部としての発光体Ｆが設けられている。
【００７４】
ちなみに、本実施形態においては、光放射面Ｂｆの全体から光を放射するのではなく、図９及び図１２に示すように、光放射面Ｂｆに前方に突出する形態で設けた横長の突起状の光放射部Ｂｏ（図１５参照）から光を放射するように構成されている。
つまり、導光体Ｂが、扉表装体１１に形成した横長でスリット状の挿通孔１１Ａ（図１４参照）を通して光放射部Ｂｏを前方に突出させる形態で扉Ａに装着されており、光放射部Ｂｏが、扉Ａの前方に向けて光を放射するように構成されている。
尚、光放射部Ｂｏの表面は、シボ加工が施されて、光が周囲に広がる形態で放射されるようになっている。
【００７５】
図１２及び図１６に示すように、導光体Ｂの後面Ｂｒが、入光面Ｂｉから導光体Ｂの長手方向に沿って入射される光入射方向Ｃに対して、入光面Ｂｉから離れるほど光放射面Ｂｆ側に位置するように傾斜する状態に形成され、かつ、導光体Ｂの後面Ｂｒに、入光面Ｂｉから入射した光を光放射面Ｂｆに反射させる凹凸が導光体Ｂの長手方向に沿って繰り返す形態で形成されている。
【００７６】
図１８に示すように、導光体Ｂの長手方向に沿って繰り返す形態で後面Ｂｒに形成される凹凸は、本実施形態においては、設定深さＶの台形状の凹部１８を、導光体Ｂの長手方向に沿って設定ピッチＷにて形成することによって構成されている。
ちなみに、設定深さＶは、例えば、０．６ｍｍであり、そして、設定ピッチＷは、例えば、１，０ｍｍである。
【００７７】
また、図３に示すように、本実施形態においては、導光体Ｂが、入光面Ｂｉを扉Ａの横幅方向の端縁よりも内方側に位置させる形態に構成され、発光体Ｆからの光を入光面Ｂｉに導く補助導光体Ｄ（図１９参照）が、導光体Ｂの横側に連なる状態で扉Ａに設けられている。
具体的には、導光体Ｂが、扉Ａの横幅方向中央から左右に伸びる状態で、かつ、長手方向の左右両端面を、入光面Ｂｉとする状態で設けられ、補助導光体Ｄが、導光体Ｂの左右両側に配設され、左右の補助導光体Ｄの夫々に対応して、発光体Ｆが配設されている。
【００７８】
したがって、本実施形態においては、図１６に示すように、導光体Ｂの後面Ｂｒのうちの左側後面部分が、左側の入光面Ｂｉの光入射方向Ｃに対して、左側の入光面Ｂｉから離れるほど光放射面Ｂｆに近づくように傾斜する状態に形成され、かつ、導光体Ｂの後面Ｂｒのうちの右側後面部分が、右側の入光面Ｂｉの光入射方向Ｃに対して、右側の入光面Ｂｉから離れるほど光放射面Ｂｆに近づくように傾斜する状態に形成されることになる。
【００７９】
また、図３に示すように、導光体Ｂと補助導光体Ｄとの間への液体侵入を阻止し且つ光を透過するシール部材１９（図２１参照）が、導光体Ｂと補助導光体Ｄとの間に配設されている。
つまり、シール部材１９は、角型の有底筒状に形成されて、補助導光体Ｄの端部に外嵌され、導光体Ｂの入光面Ｂｉに当て付けられた状態で、導光体Ｂと補助導光体Ｄとの間に配設されている。
【００８０】
以下、導光体Ｂ、補助導光体Ｄ、及び、発光体Ｆの構成、並びに、それらの取付け構成について説明を加える。
図１５〜図１７に示すように、導光体Ｂは、上述の如く、後面Ｂｒの左側後面部分及び右側後面部分が傾斜状に形成されるため、長手方向の中央部ほど前後幅が薄くなるように構成され、そして、導光体Ｂの前面側の上下両側部には、鍔状の張出部２０が形成されている。
【００８１】
図９及び図１３に示すように、扉Ａにおける扉本体９の左右中央でかつ把手部９Ａの上方に相当する箇所には、導光体Ｂを装着する横長状の装着孔２１が、前後に貫通し、かつ、導光体Ｂの上下の張出部２０を受止める段部２１Ａを有する状態で設けられている。
したがって、導光体Ｂは、前方側より扉本体９の装着孔２１に嵌合されかつ扉表装体１１にて扉本体９側に押圧された状態で、且つ、光放射部Ｂｏを扉表装体１１に形成した挿通孔１１Ａに挿通させた状態で、扉Ａに装着されることになる。
【００８２】
図１９に示すように、補助導光体Ｄは、発光体Ｆに対向させる発光体側部分Ｄａ、導光体Ｂに対向させる導光体側部分Ｄｂ、及び、発光体側部分Ｄａと導光体側部分Ｄｂとを接続する中間部分Ｄｍを備える状態に形成されている。
そして、発光体側部分Ｄａの端面が、発光体Ｆからの光を入射する入光面Ｄｉとして構成され、中間部分Ｄｍには、位置決め用の柱状突起２２が形成されている。
尚、図１９において、中間部分Ｄｍに存在する直方体状の突起２３は、補助導光体Ｄを射出成型する際に金型内に樹脂を注入するためのゲートである。
【００８３】
本実施形態においては、導光体Ｂが発光体Ｆよりも上方に位置することになるため、補助導光体Ｄは、図１９に示すように、水平方向に沿う姿勢の導光体側部分Ｄｂに対して中間部分Ｄｍが斜め下方に向けて屈曲する姿勢となり、斜め傾斜姿勢の中間部分Ｄｍに対して発光体側部分Ｄａが水平方向に向けて屈曲するよう構成されている（図１０参照）。
【００８４】
また、本実施形態においては、平面視において、導光体Ｂが発光体Ｆよりも前方に位置することになるため、補助導光体Ｄは、図１２に示すように、導光体側部分Ｄｂに対して中間部分Ｄｍが斜め後方に向けて屈曲する姿勢となり、中間部分Ｄｍに対して発光体側部分Ｄａが水平方向に向けて屈曲するよう構成されている。
【００８５】
図１０〜図１２に示すように、扉Ａにおける扉本体９の背面部には、左右の補助導光体Ｄを装着する左右の装着用溝部２４が形成されている。
説明を加えると、装着用溝部２４を形成するための上方側起立壁２４Ｕ及び下方側起立壁２４Ｄが、導光体Ｂの上側及び下側を通過する状態で、扉本体９の横幅全幅に亘って形成されている。
また、装着用溝部２４の内方には、位置決め用の柱状突起２２が嵌合する筒状体２５が形成されている（図１２参照）。
【００８６】
そして、図２０に示すように、左右の補助導光体Ｄを押圧する押圧部２６Ａを備えた長尺状の押圧体２６が、上方側起立壁２４Ｕ及び下方側起立壁２４Ｄに嵌合する溝状に形成された状態で設けられ、また、押圧体２６には、扉本体９にボルト固定する一対の固定部２６Ｂが備えられている。
【００８７】
したがって、左右の補助導光体Ｄは、位置決め用の柱状突起２２を筒状体２５に嵌合させた状態で装着用溝部２４に嵌合され、かつ、押圧体２６にて扉本体９側に押圧された状態で、扉Ａに装着されることになる。
【００８８】
図５に示すように、発光体Ｆは、白色発光体２７Ａと橙色発光体２７Ｂとをケーシング２８内に収納する形態に構成されている。
図２及び図６に示すように、発光体Ｆが、上記開閉体１３における一対の側壁１３ｓの間に配置され、発光体Ｆのケーシング２８には、図５に示すように、開閉体１３を支持する支持軸１４に外嵌する筒状の位置決め用嵌合部２８Ａ、及び、コンロ本体部Ｈに設けた係止部２９に係止される被係止用の突部２８Ｂが設けられている。
したがって、発光体Ｆは、位置決め用嵌合部２８Ａを支持軸１４に外嵌し、かつ、係止部２９にて突部２８Ｂを係止した状態で、コンロ本体部Ｈに装着されることになる。
【００８９】
上述の如く、開閉体１３における一対の側壁１３ｓの間に発光体Ｆが配置されるため、図４に示すように、一対の側壁１３ｓのうちの扉Ａの存在側に位置する側壁１３ｓに、発光体Ｆからの光を透過する透過部３０が形成されている。
透過部３０は、開閉体１３の開き状態、閉じ状態、及び、開き状態と閉じ状態との間の中間状態のいずれにおいても、発光体１３からの光を透過する形態に構成されている。
具体的には、透過部３０は、開閉体１３の開き状態、閉じ状態、及び、開き状態と閉じ状態との間の中間状態のいずれにおいても、発光体１３からの光を透過すべく、扇形状に形成され、また、詳述はしないが、側壁１３ｓに形成した開口に、透明樹脂板を高周波溶接によって固定することによって形成されている。
【００９０】
そして、図３及び図７に示すように、発光体Ｆからの光は、開閉体１３の透過部３０を透過したのち、上述した仕切り板１５ｎに形成した光通過用切欠部３１を通過して補助導光体Ｄの入光面Ｄｉに到達するように構成されている。
尚、仕切り板１５ｎの光通過用切欠部３１には、環状の樹脂製のグロメット３２が装備されることになる。ちなみに、図７においては、グロメット３２の記載を省略している。
【００９１】
発光体Ｆの作動は、上述した運転制御部にて制御されるものであり、次に、白色発光体２７Ａと橙色発光体２７Ｂとを作動させる一例について説明する。
尚、扉Ａの開閉状態を検出する開閉検出センサ（図示せず）が装備されて、その開閉検出センサの検出情報が運転制御部に入力されているものとして、以下説明する。
【００９２】
すなわち、扉Ａが開き状態にあるときには、白色発光体２７Ａと橙色発光体２７Ｂとをいずれも消灯させる。
扉Ａが閉じ状態にあり、コンロバーナ１が燃焼していないときには、白色発光体２７Ａを点灯させ、かつ、橙色発光体２７Ｂを消灯させるようにする。
扉Ａが閉じ状態にあり、コンロバーナ１が燃焼しているときには、白色発光体２７Ａを消灯させ、かつ、橙色発光体２７Ｂを点灯させるようにする。
【００９３】
また、コンロバーナ１が燃焼しているときに、異常が発生した場合には、橙色発光体２７Ｂを点滅作動させることになり、この点滅作動は、扉Ａを開き状態にすることにより停止される。
ちなみに、この橙色発光体２７Ｂを点滅作動させることが、上述の報知処理に対応することになる。
【００９４】
さらに、タイマ運転や自動運転を実行しているときに、その運転が終了した場合には、白色発光体２７Ａを点滅作動させることになり、この点滅作動は、扉Ａを開き状態にすることにより停止される。
【００９５】
ちなみに、上述した電源スイッチＳＷが入り操作された電源供給状態において、運転制御部が、白色発光体２７Ａ及び橙色発光体２７Ｂの作動を制御することになり、電源スイッチＳＷが切り操作された状態においては、白色発光体２７Ａや橙色発光体２７Ｂが作動されることはない。
【００９６】
本実施形態においては、上述の如く、扉Ａに設けた導光体Ｂが扉Ａの前方に光を放射することによって、扉Ａが閉じ状態であること、グリル庫５に備えた上バーナや下バーナが燃焼状態であること、及び、異常発生状態であること等の運転状態を表示することになる。
そして、グリル庫５の開口Ｕを開閉する扉Ａは、使用者にとってグリルＧの扉Ａであると認識されているため、扉Ａに設けた導光体Ｂにて扉Ａの前方に光を放射することによって表示する運転状態は、グリルＧの運転状態を表示するものであるとして、使用者に的確に認識されることになる。
【００９７】
また、本実施形態においては、導光体Ｂは、扉Ａの横幅方向の全幅ではなく、扉Ａの横幅方向の中央部から光を放射するものであるから、扉Ａの横幅方向の全幅から光を放射する場合よりも、むしろ扉Ａから光が放射されている状態であると認識し易いため、この点からも、グリルＧの運転状態を適切に表示できるものである。
【００９８】
〔別実施形態〕
次に、別実施形態を列記する。
（イ）上記実施形態では、焼き網７、汁受け皿８及び扉Ａが、グリル庫５に対して一体的に出退されることによって、扉Ａがグリル庫５の開口Ｕを開閉するように構成されている場合を例示したが、例えば、扉Ａの下端部を中心にして、扉Ａを前後に揺動できるように支持して、その前後揺動により扉Ａを開閉させる等、扉Ａを開閉する構成は種々変更できるものである。
【００９９】
（ロ）上記実施形態では、導光体Ｂの光放射面Ｂｆに設けた横長の突起状の光放射部Ｂｏから光を放射する場合を例示したが、例えば、導光体Ｂの光放射面Ｂｆの全体から光を放射させるようにする等、導光体Ｂの光放射面Ｂｆから光を放射する具体構成は各種変更できる。
【０１００】
（ハ）上記実施形態では、導光体Ｂが、入光面Ｂｉを扉Ａの横幅方向の端縁よりも内方側に位置させる形態に構成され、発光部としての発光体Ｆからの光を入光面Ｂｉに導く補助導光体Ｄを備えさせる場合を例示したが、導光体Ｂを扉Ａの横幅方向の全幅に亘る状態で設けて、補助導光体Ｄを省略する形態で実施してもよい。
【０１０１】
（ニ）上記実施形態では、導光体Ｂの後面Ｂｒに、設定深さＶの台形状の凹部１８を、導光体Ｂの長手方向に沿って設定ピッチＷにて形成することによって、導光体Ｂの長手方向に沿って繰り返す形態で導光体Ｂの後面Ｂｒに凹凸を形成する場合を例示したが、例えば、鋸歯状に凹凸を形成する等、後面Ｂｒに形成する凹凸の具体構成は各種変更できる。
【０１０２】
（ホ）上記実施形態では、グリルＧが、グリル付コンロに装備される場合を例示したが、本発明のグリルＧは、グリル専用機を構成する場合にも適用できるものである。
ちなみに、グリル庫５に装備する加熱手段としては、ガスバーナに代えて、ハロゲンランプやシーズヒータ等を装備するようにしてもよい。
【０１０３】
（ヘ）上記実施形態では、発光部として、白色発光体２７Ａと橙色発光体２７Ｂとを備える発光体Ｆを例示したが、発光部としては、一色を発光する発光体や、３色以上の多数の色を発光する発光体を用いて構成してもよく、発光部の具体構成は、各種変更できる。
そして、運転状態を表示させるために発光部を発光させる具体構成も、発光部の具体構成に応じて各種変更できる。
【０１０４】
（ト）上記実施形態では、扉Ａの把手部９Ａの上方箇所から光を放射させる場合を例示したが、把手部９Ａから発光させる形態で実施してもよい。
また、導光体Ｂを上下に複数並べて、光を上下２箇所から列状に放射する形態で実施してもよい。
つまり、扉Ａから光放射する形態は、各種変更できるものであり、それに合わせて、導光体Ｂの設置形態は各種変更できるものである。
【符号の説明】
【０１０５】
５      グリル庫
１３    開閉体
１３ｆ  前壁
１３ｓ  側壁
１３ｕ  上壁
１４    支持軸
１９    シール部材
２８Ａ  位置決め用嵌合部
３０    透過部
Ａ      扉
Ｂ      導光体
Ｂｆ    光放射面
Ｂｉ    入光面
Ｂｒ    後面
Ｃ      入射方向
Ｄ      補助導光体
Ｅ      運転指令用操作部
Ｆ      発光部
Ｇ      グリル
Ｈ      コンロ本体部
Ｕ      開口
【図１】
0005970195.tif 000002
【図２】
0005970195.tif 000003
【図３】
0005970195.tif 000004
【図４】
0005970195.tif 000005
【図５】
0005970195.tif 000006
【図６】
0005970195.tif 000007
【図７】
0005970195.tif 000008
【図８】
0005970195.tif 000009
【図９】
0005970195.tif 000010
【図１０】
0005970195.tif 000011
【図１１】
0005970195.tif 000012
【図１２】
0005970195.tif 000013
【図１３】
0005970195.tif 000014
【図１４】
0005970195.tif 000015
【図１５】
0005970195.tif 000016
【図１６】
0005970195.tif 000017
【図１７】
0005970195.tif 000018
【図１８】
0005970195.tif 000019
【図１９】
0005970195.tif 000020
【図２０】
0005970195.tif 000021
【図２１】
0005970195.tif 000022